(57)【要約】      （修正有）【課題】石油・ガス・石炭等化石燃料の枯渇・限界に備えて、徹底省エネを図る、養護体を提供する。【解決手段】広ホール（食堂）はその全室暖房する必要を省略して広ホールの数分の１の容積である調理室のみの暖房によって、休日の一家団らん時のみに使用されて暖冷房機の使用時間を激減可能に構成された徹底省エネ用に構成され広ホール（食堂）と、調理室との唯一の空気流通口である窓口と出入口とを略密閉してさらなる徹底省エネを図るべくそれらの各口を略密閉用に最適に構成された窓口戸・出入口戸と、を具備する。【選択図】図６
2017089362.tif 000002
【特許請求の範囲】
【請求項１】
屋内に於ける食事用に腰かけに座して食事する食卓の代用に形成された最適の食台を備えた食台材と、
2017089362.tif 000009
該食台材の板空部に収納され居住者の食事時に座して使用される腰掛材と、
を具備し、日常の料理時には該板空部に該腰掛材が収納されて料理作業に全く支承がなく、かつ非食時時には物置台として使用され、食時時は該食台材が食卓の代用と成されて、広ホール（食堂）はその全室暖房する必要を省略して該広ホールの数分の１の容積である調理室のみの暖房によって休日の一家団らん時のみに使用されて暖冷房機の使用時間を激減可能に構成された徹底省エネ用に構成され、石油・ガス・石炭等化石燃料が早晩枯渇等の限界を迎える近未来以降への布石を兼ねて数１０年後に止む得ず到来する枯渇・限界に備えて現在の中から徹底省エネを図るよう構成された養護体（革新体・省Ｅ体）を有することを特徴とした養護装置。
【請求項２】
前記養護体は、前記広ホール（食堂）と前記調理室との唯一の空気流通口である窓口と出入口とを略密閉してさらなる徹底省エネを図るべくそれらの各口を略密閉用に最適に構成された窓口戸・出入口戸と、
を具備して構成された開閉戸体を有する請求項１に記載の養護装置。
【請求項３】
前記養護体は、前記広ホール（食堂）に常備されて情報流通の唯一の介在品である情報材（テレビ・ラジオ）の装備によって広ホール（食堂）と同様の機能を備えるべく情報材（テレビ・ラジオ）が装備された新情報材（新テレビ・新ラジオ）を具備して構成された新情報体を有する請求項１に記載の養護装置。
【請求項４】
前記養護体は、時に朝食時に早晩略万人が使用されることになる可能性が強く、現在の先進諸国の大多数の人類が即に毎朝使用されている高電力材（電気オーブン・トースター）が消費電力が短時間だが大電力（略１０００ワット）が高消費電力を必要とする）現状に鑑み、数１０年後はいずれ早晩代用品が必要とされる状況に鑑み、この高電力消費を極めて省力的な新調理機が必要とされる。そこで
2017089362.tif 000010
の上皿材と下皿材とが連設部を中心にして開閉可能に構成された開閉皿材と、
該上皿材・下皿材に各々一体化されて断熱的に連設され該上皿材・下皿材がその開口部が相対向して開閉されそれら１対の皿部で囲れる略四角函状の収容部に略四角板状の食パンの上・下各面がガス火によって薄焼状能に焼れれた後にその上・下皿材を開閉するべく略断熱的に構成された１対の取手材と、
を具備して構成された開閉皿体革新体（省エネ体）を有する請求項１に記載の養護装置。
【請求項５】
前記養護体は、前記開閉皿材への加熱火（ガス火）による加熱火による温度上昇が、例えガス火の過度な加熱によっても、また使用者の手等で握持しても決してヤケド等の損傷を受けないように極力熱電導の小さい略断熱材によって金属製の柄部の握持部の略全体が被覆され、しかも火事等が起らないように極力難燃材によって形成された柄握部と、
該柄握部は該柄部への圧接面積が極力小さく、しかも該柄部の弾性を活用してワンタッチで組込一体化が可能なような深溝が形成された嵌入溝と、
を具備して構成された革新体を有する請求項１に記載の養護装置。
【請求項６】
前記養護体は、熟練した経験等により、最適の強度に設定された加熱材と、
該加熱材によって加熱する時間や加熱程度が表示される熱表示材と、
該加熱材によって加熱する熱程度が越えた場合にその熱程度が表示される熱表示材と、
該加熱材によって加熱する熱程度が過度な場合にその事を表示する危険材と、
を具備して構成された革新体を有する請求項１に記載の養護装置。
【請求項７】
前記養護体は、前記［請求項１〜請求項６及び国内外に於ける過去に於て出願済みの特許出願や国際出願群のうち有力な発明］の全てから抽出された新技術を活用し図４（ｂ）の世口人口推計が新世界人口［８０億人以下（低位推計のＬ２５）〜７５億人以下（必要推計のＬ２２）］程度を
2017089362.tif 000011
【発明の詳細な説明】
【技術分野】
【０００１】［人類の生存の維持に不可欠な必需材の枯渇・限界等の危機切迫する状況に対して］
人類の生存の維持に不可欠な必需材は非常に重要な材料資源であるがエネルギーとしても約９０％消費されている。石油・ウラン・天然ガス・メタンは約４０〜１００年、石炭でさえ１９０年で枯渇する。再生可能エネルギーは主力に程遠い。エネルギーは展望しにくい状況にある。世界人口は８０〜９０億人に達する勢いであり消費が激しくなる。現在は歴史的に重要な岐路にある。特に電気は毎日慣れると大切にする心が薄れ勝ちだが小さい事の積み重ねが必需材の危機となる。１０００Ｗ高電力製品（エアコン・電気オーブン・トースター）の根源的な検討に入り、使用変換あるいは他の熱源（例えばガス火の高効率活用）への熱源転換の新製品の開発を検討することにした。これにより一定期間製品を通じて必需材の危機について社会に広く暗示してもらう担い手とする。幅広い理解者が生まれることを期待する。
【背景技術】
【０００２】  ２０世紀は去り、私達は２１世紀を迎えすでに１４年が過ぎた。ここで２０・２１世紀の時代を人類の歴史や地球の歴史上より顧みることは、単に１つの世紀の区切りの時代ということのみに止まらず極めて重要な意義を有することになった。恐らくこの数１０年の世界の対応如何が、未来に向けて永く生存するべき人類の運命を左右しかねない程、重要な意義を持つと予測される事態に至ってきた。資源の枯渇・地球温暖化・エネルギー不足・食料の限界・大量消費・廃棄物の増大・世界人口の激増・原発崩壊による健康問題・等への危機的傾向が深刻さを増し、いずれも全地球規模の課題となりつつあるからである。【０００３】  まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終わりとを比較すると、世界人口は約３倍、国民総生産は約２１倍、エネルギー消費量は約６０倍に激増した。さらに、１９世紀中頃と２０世紀の終わりとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。【０００４】  このような著しい伸びは、私達の人間社会を物質的に豊かにした。人間の行動範囲は飛躍的に広がり、活動能力は伸長し、文明は高度に発達した。現在の文明は便利さと、快適さと、豊か社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著しい活動の副産物として、資源枯渇の問題・エネルギーの問題・地球温暖化の問題という大きく、かつ深刻な試練を受けることになっている。副産物の中には人間の居住パターンを変える程の大きな影響を及ぼすと予想されているものもある。その具体的な１例を図１を参考にして大略説明する。【０００５】  前記した図１の図（ａ）・図（ｂ）に示すように、２０世紀における世界人口・国民総生産・エネルギー消費量は爆発的に増大するに至り、図（ｃ）に示すように石油消費量は年間１０億トンを超すようになり、この傾向が続くと石油資源はあと４０数年の中に枯渇すると予想されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油・石炭・天然ガス・メタン等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。【０００６】  生命にとって絶好の生存環境条件を備えた現在の地球は、太陽から��公転距離、従って、太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成・等々によって奇跡的に生み出された。現在の地球環境は上記のような諸条件の微妙なバランスと超長年月をかけた熟成の末に造り出されたものである。しかし、地球環境はバランスが崩れ始めると壊れ易い有限の球体である。有限であるから資源と環境とが限られた超巨大な宇宙船にも例えられる。地球環境は過度な自然破壊さえ無ければ、忍耐強く、少々の打撃にも耐えられる寡黙な包容力がある、ねばり強い一面を備えた存在でもありうる。【０００７】  地球は人間の個々の存在から視れば、圧倒的な巨大さと、うねりと、超長年月をかけた活動とをもつ大自然の１つである。大自然には緩衝能力があり長期にわたって被害を表に出さない。しかしある限界を超えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取り組みが間に合うかもしれないが、しかし、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存すべき膨大な未来の人類と、多くの種類の未来の膨大な生物とが共有すべき唯一の住家であり、生命の根源である。ところが実際には、地球環境がわずか約１世紀の人類の活動が原因して破壊されかけようとしている。この危険な傾向は現在の人類の責任において修正・転換され地球環境は養護され尽くされねばならない。そのためには、環境破壊の原因の排出を繰り返した２０・２１世紀の人類の活動の全てが個々の立場に於て検証され、最善の対策が図られべき必要に迫られてきた。【０００８】  前記したように私達は便利さと、快適さと、物資の豊かさと、を手に入れたのと引き換えに毎日実に多くの資源やエネルギーを消費している。例えば、我国では１年間に排出される一般廃棄物は約５千万トン（東京ドームの１３８杯分）を超え、産業廃棄物は約４億トン（同１１０４杯分）を超えている。後者では最終処分場があと１．６年で満杯となり以後は廃棄する場所に困窮するとされている。このような大量の廃棄物の原因になっているものは、日常生活や経済活動で使用され捨てられた膨大な製品の集積であり、膨大な製品は実に大量の資源やエネルギーを使って製作されたものである。【０００９】  大量生産、大量消費、大量廃棄によって私達は深刻な廃棄物問題から、さらに発展して資源枯渇問題・環境問題という非可逆な深刻な課題に直面することになっている。以上は先進国に共通する課題であるが、先進国に追いつき・追い越す勢いを増しつつある発展途上国も先進国とほぼ同様の経過をたどるとすれば人口が膨大であるだけに世界全体では現在の数倍の規模になる。資源枯渇問題・地球温暖化問題・廃棄物問題は２１世紀以降の近未来に深刻な影響を及ぼす地球��模の課題である。上記これらの諸課題には絶対的限界がある。数西紀・数億年かけて生成された森林や土壌や地球独特の資源等が今や人間一生程の短い期間に消費されている。また、これらのことが将来、政治的・社会的安定を脅かす原因となってくる可能性が大きい。【００１０】  ２１世紀以降の人類はその活動の産物として数々の大問題の解決に懸命にならねばならぬ時が来る。懸命になって解決されればそれで良い。なおかつどうすることもできず解決できぬ時にどうするか。２０・２１世紀はこのことに対して痛切に心が痛まざるを得ないのが本当だ。【００１１】  人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでない。技術の未成熟なために現時点では推定に止まることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現在の地球環境問題にも未来の地球・人類には天体上の諸理由によって起こる危機、正に大危機と呼ばれる試練が待ち受けている。過去複数回到来したものは未来も複数回到来するであろう。例えば氷期の到来の課題然り、小惑星の地球衝突の課題然りである。それらは桁はずれの厳冬や大地震よりさらにレベルが異る大危機である。以上は相当現在に近い近未来〜中未来の切実で大きな課題である。【００１２】  相当先々の中未来〜遠未来のことになるが太陽光度の漸次増強による地球高温化、地球の第２金星化の課題は放置すれば生物や人類の世紀末とも言うべき、全運命を左右する大危機である。しかし、人類はこれらの大危機も、時には技術開発や実用化が間に合わず大打撃を受ける可能性があるか無いか現時点では判明できないが−何とか解決して乗り越え生き延びる可能性は残っていると推定される。それは技術開発が目標を持って開発済みの蓄積技術を土台にして、一歩一歩階段を登るようにより困難な課題の技術を解決し克服し、高度な技術を手中に「蓄積・向上する」創造力を備え、手法・機器を人類が持っているからである。
【先行技術文献】
【特許文献】
【００１３】
【特許文献１】：ＰＣＴ／ＪＰ２０１０／０５３５７１
【特許文献２】：ＰＣＴ／ＪＰ２０１２／０７５６６７
【特許文献３】：ＰＣＴ／ＪＰ２０１３／０７６７３２
【特許文献４】：ＰＣＴ／ＪＰ２０１４／０５０６６１
【００１４】
【非特許文献】
【非特許文献】非特許文献１：世界統計白書（木本書店）、世界国勢図解（矢野記念会）
【発明の概要】
【発明が解決しようとする課題】従来品によれば高電力も消費する機器であるから、近未来以降の早い段階でエネルギー資源は枯渇・限界を迎る。本件開発は熱効率を最大限に良好にするべくガス火による直接加熱によって極小のガス燃料で済むようにして化石燃料の消費の超長期的で極力全体的な消費の減少を図るようにする。
これによって有限のエネルギー資源が枯渇するとされている近未来以降の危機的状況を少しでも緩和・延期して近未来以降の再生可能エネルギーの育成・成長を図って長期的・全体的な課題解決の一助を図るべく努めると共に社会的な啓蒙・協力を図る。
【課題を解決するための手段】請求項の各項に於いて記載のように上・下の各皿材を相対向して収容空部を形成して食パン等の上・下各面がガス火によって薄燃焼でも充分な熱量を食パン等のパン類の腹部に与えて、極少量の低燃料によって、従来と実質的に大差のないよう加熱するように構成する。即ち、上・下各皿面の加熱が直に間接的にパン類に付加されて、最少限度の燃料で目的を達成する。
即ち、最少限度のガス火によって効率よく該パン類に熱を加えて極く少量の化石燃料で上記の従来の課題を解決する。  詳細は特許請求の範囲及び発明の詳細な説明等の各欄にゆずることにする。
また、高電力を必要とするエアコンによる広ホールの暖房が、なくても極小空間の調理火の加熱のみで厳冬期での食事が可能に構成する。
高電力機器は極力不使用にして近未来以降の化石資減等の枯渇や限界に対して現在の中から対応を図る。将来の世代が何とか生きのびれる手段を現在の中から手おくれにならないようにする。少くとも、解決していく手段を開発できないであろうか。そのためには近未来がこのまゝ推移すれば如何になるかを知り、また推定しなければならない。
近未来の困窮等の責任は現在にある。長期的に人類が生きていくのに不可欠な燃料は最も効率のよい消費で済むように現在が努力する事は当然である。
【発明の効果】人類の生存の維持に不可欠な必需材は非常に重要な材料資源であるがエネルギーとしても約９０％消費されている。石油・ウラン・天然ガス・メタンは約４０〜１００年、石炭でさえ１９０年で枯渇する。再生可能エネルギーは主力に程遠い。エネルギーは展望しにくい状況にある。世界人口は８０〜９０億人に達する勢いであり消費が激しくなる。現在は歴史的に、重要な岐路にある。特に電気は毎日慣れると大切にする心が薄れ勝ちだが小さい事の積み重ねが必需材の危機となる。
現在がこのまゝの状態で推移すれば近未来以降に有限のエネルギー資源は枯渇するとされている。
本件開発は、屋内に於ける食事用に腰かけに座して食事する食卓の代用に形成された最適の食台を備えた食台材と、
該食台板による腰かけ用の腰かけ高さを保持し必要品を収納する収納戸を備えて略一定の間隔で居住床と該食台板との間に設置される設置材と、
該食台材の板空部に収納され居住者の食事時に座して使用される腰掛材と、
を具備し、日常の料理時には該板空部に該腰掛材が収納されて料理作業に全く支承がなく、かつ非食時時には物置台として使用され、食時時は該食台材が食卓の代用と成されて、広ホール（食堂）はその全室暖房する必要を省略して該広ホールの数分の１の容積である  調理室のみの暖房によって休日の一家団らん時のみに使用されて暖冷房機の使用時間を数減可能に構成された徹底省エネ用に構成され、石油・ガス・石炭等化石燃料が早晩枯渇等の限界を迎える近未来以降への布石を兼ねて数１０年後に止む得ず到来する枯渇・限界に備えて現在の中から徹底省エネを図るよう構成された養護体（革新体・省Ｅ体）を有することを特徴としている。
本件開発の前記養護体は、前記広ホール（食堂）と前記調理室との唯一の空気流通口である窓口と出入口とを略密閉してさらなる徹底省エネを図るべくそれらの各口を略密閉用に最適に構成された窓口戸・出入口戸と、
を具備して構成され開閉戸体を有するものである。
本件開発の、前記養護体は、前記広ホール（食堂）に常備されて情報流通の唯一の介在品である情報材（テレビ・ラジオ）の装備によって広ホール（食堂）と同様の機能を備えるべく情報材（テレビ・ラジオ）が装備された新情報材（新テレビ・新ラジオ）を具備して構成された新情報体を有するものである。
本件開発の前記養護体は、特に朝食時に早晩略万人が使用されることになる可能性が強く、現在の先進諸国の大多数の人類が即に毎朝使用されている高電力材（電気オーブン・トースター）が消費電力が短時間だが大電力（略１０００ワット）が高消費電力を必要とする）現状に鑑み、数１０年後はいずれ早晩代用品が必要とされる状況に鑑み、この高電力消費を極めて省力的な新調理機が必要とされる。そこで
2017089362.tif 000003
の上皿材と下皿材とが連設部を中心にして開閉可能に構成された開閉皿材と、
該上皿材・下皿材に各々一体化されて断熱的に連設され該上皿材・下皿材がその開口部が相対向して開閉されそれら１対の皿部で囲れる略四角函状の収容部に略四角板状の食パンの上・下各面がガス火によって薄焼状能に焼れれた後にその上・下皿材を開閉するべく略断熱的に構成された１対の取手材と、
を具備して構成された開閉皿体革新体（省エネ体）を有するものである。
本件開発の前記養護体は、前記開閉皿材への加熱火（ガス火）による加熱火による温度上昇が、例えガス火の過度な加熱によっても、また使用者の手等で握持しても決してヤケド等の捐傷を受けないように極力熱電導の小さい略断熱材によって金属製の柄部の握持部の略全体が被覆され、しかも火事等が起らないように極力難燃材によって形成された柄握部と、
該柄握部は該柄部への圧接面積が極力小さく、しかも該柄部の弾性を活用してワンタッチで組込一体化が可能なような深溝が形成された嵌入溝と、
を具備して構成された革新体を有する請求項１に記載の養護装置。
本件開発の前記養護体は、熟練した経験等により、最適の強度に設定された加熱材と、
該加熱材によって加熱する時間や加熱程度が表示される熱表示材と、
該加熱材によって加熱する熱程度が熱程度が越えた場合にその熱程度が表示される熱表示材と、
該加熱材によって加熱する熱程度が過度な場合にその事を表示する危険材と、
を具備して構成された革新体を有するものである。
（  ）本発明を構成する開閉皿材は、上皿材と下皿材がそれらの開口部を各々対向して略四角函状の収容空部が形成される。この収容空部は略四角函状で食パン（各厚さは数種あるが、極力標準的な厚さのものが収容される高さを備えている。）はその収容空部に収容される。この開閉皿材は例えばガス火に外面が加熱されて、上皿材と下皿材の腹部は食パンの外面が適度に焼けるようになるまで加熱される。この加熱程度は毎朝の経験により、または検知器等によって確認される。
これによって最適の程度に加熱され現在の電気オーブンやトースターと同様に加熱される。上皿材・下皿材は手で触れない程の高温になるが各柄部は適所には略断熱性の１対の取手材を備えているので、ガス火から下す行為及び各皿材を開閉する、行為はヤケド等をすることなく安全に成されるものと推定される。
毎朝の経験を積めばガス火による加熱程度は自ずから最適に調節される。
（  ）電気オーブンやトースターは完全に近い程自動制御されているがこれに慣れて高電力を消費することになっている。しかしこの高電力消費が続けばどうなるであろうか。現在はすでにエネルギ関連の化石材料は石油・各種ガスが相当に枯渇に近い程度の１歩前位に限界状態にある。すでにその枯渇の時期まで報道されている。これらの化石材料が枯渇すれば人類の将来はそう遠からず大きな制限
2017089362.tif 000004
このことはいずれ早晩、有限の化石資源等の資源は人類の手中から消えていく運命にある。その時期が上記だとすれば現在は果してこのまゝで良いだろうか。
ここに現在のあり方自体が大きな課題として猛省せざるを得ない時期に来ている。
人類は座して枯渇や限界を待つのではなく現在の中から零的感覚で猛省が必要な時期にきているのだ。少々の自我や不便は現在に耐える力は持っている筈だ。
この時代転換は１年でも早ければ早い方が良いのではないだろうか。現在、児童や幼児にすぎない次世代の人類は何らの自己主張もできない圧例的な弱者である。
このいたいけない次世代が何とか生きていける世の中にしておくことが現在人の大きな努めではないだろうか。資源もエネルギーも枯渇寸前であること  いや環境・食料・世界人口を含む必要材のほぼ全体が正に限界寸前の危機的状況の１歩手前であることに現在は早く目ざめる時期に来ている。現在の多少の不便や利害や不都合は何とかなる筈だ。
（  ）化石資源等の天然資源やエネルギー資源は、一たん枯渇されてしまったならばこの地球上から永遠に姿を消して再び、よみがえることはできない。正に近未来以降の永遠に人間社会には真に宝物である筈だ。現在及ひ近未来以降の人類は歴史的に２度とない重要な時代に生きようとしているのだ。後世の人類に顔向けできない大失敗の″正に歴史的に近未来以後の各時代に恥かしい失敗連続の時代に生きることになるとすれば、現在は現在という時代を徹底的に再構築しなければならない歴史的に誠に重要な時代″に生きていることを再確認しなくてはならない。″と推定されるのである。それでは一体、現在の人類は現在を如何に生きるべきか。
このことに対する正確な正解はそう簡単に発見しにくいだろう。いつの時代に於ても歴史的な各時代は何１００年〜何１０００年が経過した後にやっとあの道こそが正解だったと初めて判るものと推定される。しかし将来のその時はもう過ぎた過去となから遅いのだ。少しでも早く「現在」という時代がどういう時代かを正しく認識し対策を行動に移すべきだ。
（  ）そこで現代我々が何が大切かを考えると、できるだけ多くの人々が現在の成すべきことを考えて、「何ろするべきだ」という最大公約数をなるべく早く出していくことだ。
その最大公約数の中、できるだけ多数の人が確認しうるものを公的に認めて早く確実な道を実行に移すことだ。例えば、現在１番大切なことは何かを考えて何とかする手段を課すべきではなかろうか。
【図面の簡単な説明】
【図１】図１は現在に於ける必需材の特異状況を示す図である。
【図２】図２は石油資源の消費と氷冠面積の変化を示す図である。
【図３】図３は必需材の徴候と限界を示す図である。
【図４】図４は世界人口の推計と制御を示す図である。
【図５】図５は日本・世界の地震分布の状況を示す図である。
【図６】図６は本発明革新体の脚部収納の１例を示す図である。
【図７】図７は本発明革新体の脚物収納の１例を示す図である。
【図８】図８は同上発明の革新体の他の実施例を示す図である。
【図９】図９は同上発明の化石資源調査書の１例を示す図である。
【図１０】図１０は同上発明の住建組立の１実施例を示す図である。
【図１１】図１１は同上発明の制御体制等の１実施例を示す図である。
【図１２】図１２は同上発明の制御組織の１実施例を示す図である。
【図１３】図１３は従来の世界現状体の管理の１例を示す図である。
【図１４】図１４は本発明革新体の世界制御体の１例を示す図である。
【図１５】図１５は同上発明の世界連携網の１例を示す断面図である。
【図１６】図１６は同上発明の住建の１実施例を示す断面図である。
【図１７】図１７は同上実施例の住建の他の実施例の断面図である。
【図１８】図１８は同上実施例の住建の縦断面図及び横断面図である。
【発明を実施するための形態】
2017089362.tif 000005
苦境（破綻・危機・犠牲）に至る一歩手前の、状況にある現在はその改善を図るための１例でとして、特に資源・エネルギー・環境に大きな影響を及ぼす電気がムダまたは過度に使用されている現状の課題があるとすればその回避を図る必要がある。
電気は非常に高性能・極めて便利な特徴を有するが、燃料を燃やして電気に変換する変換効率が低く多大の燃料（例えば化石燃料）の燃焼を必要とするからである。そのような電気の使用のされ方があるとすれば即座に改善し、止むを得ない場合は他の熱源への転換を図る必要があるからである。
そこで、日常生活の中で例えば住建のあり方を見直してみると高電力を消費する例えばエアコン・電気オーブン・トースター（１０００Ｗ）が消費電力が高い。これらは略全住建で使用されているので、社会全体・国・世界全体では相当に大きい電力が消費されている。従って何とか効率の改善や他エネルギーへの転換が図られねばならない。
逆に現在の中からこれらが改善されたと仮定すれば略全世界・毎日の使用で近未来以降も使用され続けるから全体として極めて大きな燃料の救済になると推定される。これによって近未来以降に相当のエネルギーが供与され苦境をまぬがれるとすれば目標の１つが達成される。
長年従来、毎日の如く使用されている日常生活での燃料やエネルギーへの無駄やエネルギー使用上の未完成等の総合課題を全般的に根底から解決するという目的を例えばエアコンの不使用や転換・電気オーブン・トースター（１０００Ｗ）のムダ燃料の使用から有効利用に変換し得たと仮定すれば、そのようなムダな従来の問題点は現在から近未来以降へと際限なく続くムダの連さ、及び能率化であるから、例えば燃料（化石燃料）は大幅に救済される。
現在は電気製品の、例えばオーブン・トースター等の自動化や適度の使用という便利さに慣れてきた。これらが使用者の都合で、燃料のムダ。が過度に成されていたとすればこれらを根本的に改めることによって必需材の課題の１つが少しでも改善されることになる。そのことは有限で枯渇や限界が予測される近未来以降のエネルギー不足による打撃が少しでも解決される。従ってまだ解決されていない再生可能エネルギー時代の不完全な未熟さからある程度の対応を図らんとしたものである。
近未来以降への多くの責任は実に現在にあるのではないだろうか。
実施例．１
＜調理体Ａ＞
図  は本件の１実施例である調理体に於ける熱効率の改善の１例を示す図、図６は調理体の他例を示す図である。またＵ００は調理体Ａ、Ｕ１０は調理室、Ｕ１１は食事台、Ｕ１２は垂設台、Ｕ１３は電子レンジ、Ｕ１４は腰かけ、Ｕ１５は食器台、Ｕ１６は冷蔵庫、Ｕ１７はコンロ、Ｕ１８は流し、Ｕ１９は調理台、Ｕ２０は付属材、Ｕ２１は、テレビ、Ｕ２２はラジオ、Ｕ２３は窓口板、Ｕ２４は出入戸、Ｕ２５調理通路、Ｕ３０は広ホール、Ｕ３１はエアコン、である。
本実施例の調理体Ａは現存の調理室に於いて調理に必要な部材・配置は全く機能を失わない構成でありながら、例えば調理通路は確保される構成で調理室Ｕ１０を広ホール（食堂）３０の機能を兼備する構成にし、かつ窓口板Ｕ２３やＵ２４を閉めれば極小の食堂の機能も兼備して小空間の暖房等によってエネルギーと暖房熱量の長期的・節減を図ってエネルギー資源の節減を図らんとして構成し、これによってエネルギー資減の枯渇・限界が厳しい状况にある近未来以降に於ける生きる道に何らかの道筋を模索するきっかけを待んとするものである。
なお調理室Ｕ１０を使用する時は窓口板Ｕ２３や出入戸Ｕ２４を開閉して広ホールＵ３０との空気流通を１時的に遮断して熱効効率を格段に良くし厳寒期（地）に備える。
実施例  ２
＜調理体Ｂ＞
図  は本件の他の実施例である調理体に於ける熱効率の改善の他例を示す図である。またＶ００は調理体Ｂの１実施例で、調理体Ａの機能を床下に脚物箱    を配備して、物品の収容も兼備して、調理体Ｂ以上の機能を兼備せんとしたものである。
またＶ００は調理体Ｂ、Ｖ１０は調理室、Ｖ１１は食事台、Ｖ１２は脚物箱、である。
本実施例の調理体Ｂは実施例１の機能を床下に配設した脚物箱Ｖ１２に脚部を収容して、調理体Ａと同様に調理室Ｖ１０内で、広ホールＵ３０と同様に食事を可能にして、小暖房で、ほととど暖房を必要としない状態での食事を可能にする。
2017089362.tif 000006
調理Ｖ１０の暖房さえなくして、エネルギー救済を可能にして近未来以降に備えんとしたものである。
実施例  ３
＜適焼体＞
図  は本件の１実施例である適焼体の１実施例を示す断面図である。
また、Ｗ００は適焼体、Ｗ１０は収容部、Ｗ１１はガス火、、Ｗ２０は開閉皿材、Ｗ２１は上皿材、Ｗ２２は下皿材、Ｗ２３は焼鈍部、Ｗ３０は取手材、Ｗ３１は差込部、Ｗ３２は抜止部、Ｗ４０は回動部、Ｗ４１は円弧部、Ｗ４２は軸部、Ｗ４３は係止部、Ｗ５０は開止部、Ｗ５１は引掛部、Ｗ６０は適焼材、Ｗ７０は炎熱部、Ｗ８０は薄パン、Ｗ８１は食パン。である。
本実施例の１実施例である適焼体は薄パン等の例えば食パンが電気オーブンやトースタに依ることなく、例えば炎熱部、例えばガス炎の炎然部に薄パンを収容した収容部を、その腹部や背部等に開閉皿材の上皿材、下皿材等に炎を直接当てて収容部の内空部の温度を高くして薄パン材に熱を加えて、そのタンパク質等が消化し易く加熱する。
2017089362.tif 000007
例えばガス炎等の高温の炎熱部で、極めて熱効率を良くする。短時間にオーブンやトースターの代りに薄パン類を加熱可能にして食欲を増しかつ消化を良くする。
これによって高電力を消費することなく、また効率の低い燃料から電気への変換によるエネルギー資源の損失をしなくて済むようにする。これによって現在既に枯渇等限界がみえているエネルギーの消費を最小限にして近未来以降に於けるエネルギー枯渇等の寿命を例えば倍以上に伸すべく現在に課せられた使命を果す。近未来以降の責任の大半は資源・エネルギー・環境等の必寿材に関する限り″現在″に責任がある。問題は社会への啓蒙のされ方である。
本件の適焼体はこの商品化や奨励せざるを得ない程、必寿材の現状は切迫していることを商品によって社会に働きかけて、その使用効率を高め、ムダを厳減してエネルギー等必寿材の枯渇等危機的状況から脱して大衆に語りかける。
物言わぬ単純製品の商品化によってその責任の１端を果すべきではなかろうか。
社会一般への説得は難しい。正しく理解してもらうには近未来の危機による以外にないだろうか。物言わぬ製品によって何とか良好な道へ人間との協同作業で効果を挙げ得ないだろうか。
【産業上の利用可能性】（１）本発明の養護体に於ける革新体は、調理体Ａ、調理体Ｂ、適焼体Ｗ００は全て一般家庭用を中心にして利用されるが、学校用、企業用、各種の団体用にも利用される。即ち、一般家庭用では、調理室Ｖ１０の中の物品が請求項に示される構成に配置されることは、冷蔵庫・家具等の側部に掛台が付設されることによって、簡単に食事台Ｕ１１が構成される。また掛台や食事台Ｕ１１が最適に構成された新食事台が一般の家具店で販売されてもよい。要するに調理者が調理を行うのに都合のよい通路と食事台Ｕ１１に相当するものがあれば家庭用にも団体用にも充分に利用される。
また、床下に脚物箱Ｖ１２が配置可能であれば、同一出願人の養護体の構成の通りに活用される。窓口板Ｕ２３・出入戸Ｕ２４があれば極小の食堂の代用としての調理体が構成されて燃料が従来の数分の１に構成される。
（２）適焼体Ｗ００は薄パンの形状、大きさであれば充分だから、薄ステンレス板等の板金加工機があれば極く簡単に産業上に利用可能な適焼体が構成される。そして
2017089362.tif 000008
えば燃料の枯渇に備えて数量がまとまる場合に備えて組込一体化用の自動機が製作されれば極く経済的に産業への利用可能性はコスト低減化と共に拍車がかかると推定される。これによって割高の電気の消費は相当に活用される。
【符号の説明】Ｕ００…調理体Ａ、Ｕ１０…調理室、Ｕ１１…食事台、Ｕ１２…垂設台、Ｕ１４…腰掛け、Ｕ１５…食器台、Ｕ１７…コンロ、Ｕ２０…付属台、Ｕ２１…テレビ、Ｕ２５…調理通路、Ｕ２３…窓口板、Ｕ２４…出入戸、Ｕ３０…広ホール、Ｕ３１…エアコン、Ｖ００…調理体Ｂ、Ｖ１０…調理室、Ｖ１１…食事台、Ｖ１２…脚物箱、Ｗ００…適焼体、Ｗ１０…収容部、Ｗ１１…ガス火、Ｗ２０…開閉皿材、Ｗ２１…上皿材、Ｗ２２…下皿材、Ｗ２３…焼鈍部、Ｗ３０…取手材、Ｗ３１…差込部、Ｗ３２…抜止部、Ｗ４０…回動部、Ｗ４１…円弧部、Ｗ４２…軸部、Ｗ４３…係止部、Ｗ５０…開止部、Ｗ５１…引掛部、Ｗ６０…適焼材、Ｗ７０…炎熱部、Ｗ８０…薄パン、Ｗ３１…食パン。
【受託番号】
【配列用フリーテキスト】
【配列表】
明細書                      【発明の名称】          【技術分野】
【先行技術文献】            【発明の概要】          【図面の簡単な説明】
【発明を実施するための形態】【産業上の利用可能性】
【符号の説明】              【受託番号】            【配列表フリーテキスト】
【配列表】                  【特許請求の範囲】  要約書    図面
（  ）本発明を構成する開閉皿材は、上皿板と下皿材がそれらの開口部を各々対向して略四角函状の収容空部が形成される。この収容空部は略四角函状で食パン（各厚さは数種あるが、極力標準的な厚さのものが収容される高さを備えている。）はその収容空部に収容される。この開閉皿材は例えばガス火に外面が加熱されて、上皿材と下皿材の腹部は食パンの外面が適度に焼けるようになるまで加熱される。この加熱程度は毎朝の経験により、または検知器等によって確認される。
これによって最適の程度に加熱され現在の電気オーブンやトースターと同様に加熱される。上皿材・下皿材は手で触れない程の高温になるが、各柄部は適所には略断熱性の１対の取手材を備えているので、ガス火から下す行為及び各皿材を開閉する、行為はヤケド等をすることなく安全に成されるものと推定される。
毎朝の経験を積めばガス火による加熱程度は自ずから最適に調節される。
（  ）電気オーブンやトースターは完全に近い程自動制御されているが、これに慣れて高電力を消費することになっている。しかしこの高電力消費が続けばどうなるであろうか。現在はすでにエネルギ関連の化石材料は石油・各種ガスが相当に枯渇に近い程度の１歩前位に限界状態にある。すでにその枯渇の時期まで報道されている。これらの化石材料が枯渇すれば人類の将来はそう遠からず大きな制限を受けざるを得ない。その時期は現在の幼児が大人になる頃であるとされている。
このことはいずれ早晩、有限の化石資源等の資源は人類の手中から消えていく運命にある。その時期が上記だとすれば現在は果してこのまゝで良いだろうか。
ここに現在のあり方自体が大きな課題として猛省せざるを得ない時期に来ている。
人類は座して枯渇や限界を待つのではなく現在の中から零的感覚で猛省が必要な時期にきているのだ。少々の自我や不便は現在に耐える力は持っている筈だ。
この時代転換は、１年でも早ければ早い方が良いのではないだろうか。現在、児童や幼児にすぎない次世代の人類は何らの自己主張もできない圧倒的な弱者である。
このいたいけない次世代が何とか生きていける世の中にしておくことが現在人の大きな努めではないだろうか。資源もエネルギーも枯渇寸前であることに現在は目ざめる時期に来ている。現在の多少の不便や利害や不都合は何とかなる筈だ。
（  ）化石資源等の天然資源やエネルギー資源は、一たん枯渇されてしまったならばこの地球上から永遠に姿を消して再びよみがえることはできない。正に近未来以降の永遠に人間社会には真に宝物である筈だ。現在及ひ近未来以降の人類は歴史的に２度とない重要な時代に生きようとしているのだ。後世の人類に顔向けできない大失敗の″正に歴史的に近未来以後の各時代に恥かしい失敗連続の時代に生きることになるとすれば、現在は現在という時代を徹底的に再構築しなければならない歴史的に誠に重要な時代″に生きていることを再確認しなくてはならない。″と推定されるのである。それでは一体、現在の人類は現在を如何に生きるべきか。
このことに対する正確な正解はそう簡単に発見しにくいだろう。いつの時代に於ても歴史的な各時代は何１００年〜何１０００年が経過した後にやっとあの道こそが正解だったと初めて判るものと推定される。しかしその時はもう過ぎた過去であるから遅いのだ。
（  ）そこで現代我々が何が大切かを考えると、できるだけ多くの人々が現在の成すべきことを考えて、「何ろするべきだ」という最大公約数をなるべく早く出していくことだ。
その最大公約数の中、できるだけ多数の人が確認しうるものを公的に認めて早く確実な道を実行に移すことだ。例えば、現在１番大切なことは何かを考えて何とかする手段を課す。
【図１】
2017089362.tif 000012
【図２−１】
2017089362.tif 000013
【図２−２】
2017089362.tif 000014
【図３】
2017089362.tif 000015
【図４】
2017089362.tif 000016
【図５】
2017089362.tif 000017
【図６】
2017089362.tif 000018
【図７】
2017089362.tif 000019
【図８】
2017089362.tif 000020
【図９】
2017089362.tif 000021
【図１０】
2017089362.tif 000022
【図１１】
2017089362.tif 000023
【図１２】
2017089362.tif 000024
【図１３】
2017089362.tif 000025
【図１４】
2017089362.tif 000026
【図１５】
2017089362.tif 000027
【図１６】
2017089362.tif 000028
【図１７】
2017089362.tif 000029
【図１８】
2017089362.tif 000030